(57)【要約】【課題】後部フロア上にフロア面から所定の高さ位置に配設されたフロアボードを備え、該フロアボードが前部ボードと後部ボードとによって構成された車両の後部車体構造において、前部ボードがたわむことを防止することができるようにする。【解決手段】最後列シートより後方の後部フロア２上に、フロア面から所定の高さ位置に配設されたフロアボードを備えた車両の後部車体構造であって、前記後部フロアの前部および左右両側部に、前記フロアボードを支持するボード支持部材が配設され、前記フロアボードは、前記後部フロア上方において車体前方に配置される前部ボード１０Ｆと、該前部ボードより後方に配置される後部ボードとを備えており、前記前部ボードの後端側に車幅方向に延びる補強部材が設けられると共に、該補強部材を車体側壁に支持する支持ブラケット５１が設けられている、ことを特徴とする。【選択図】図２
2010083311.tif 000002
【特許請求の範囲】
【請求項１】
最後列シートより後方の後部フロア上に、フロア面から所定の高さ位置に配設されたフロアボードを備えた車両の後部車体構造であって、
前記後部フロアの前部および左右両側部に、前記フロアボードを支持するボード支持部材が配設され、
前記フロアボードは、前記後部フロア上方において車体前方に配置される前部ボードと、該前部ボードより後方に配置される後部ボードとを備えており、
前記前部ボードの後端側に車幅方向に延びる補強部材が設けられると共に、該補強部材を車体側壁に支持する支持ブラケットが設けられている、
ことを特徴とする車両の後部車体構造。
【請求項２】
前記支持ブラケットと前記ボード支持部材とを結合する結合部が設けられている、ことを特徴とする請求項１に記載の車両の後部車体構造。
【請求項３】
前記後部ボードの配設位置は、前部ボードの後方に位置する上方位置と、少なくとも前側部分が前部ボードの下方に収容される下方位置とに選択的に設定可能である、ことを特徴とする請求項１又は２に記載の車両の後部車体構造。
【請求項４】
前記後部ボードは、前記ボード支持部材の側部に形成されたガイド溝に沿ってスライド可能である、ことを特徴とする請求項３に記載の車両の後部車体構造。
【発明の詳細な説明】
【技術分野】
【０００１】
この発明は、車両の後部車体構造、特に、最後列シートより後方の後部フロア上に、フロア面から所定の高さ位置に配設されたフロアボードを備えた車両の後部車体構造に関する。
【背景技術】
【０００２】
周知のように、例えば自動車等の車両では、最後列シートよりも後方の車室空間を荷室として利用することが一般的に行われている。また、例えばワゴン型などの自動車では、かかる車両後部の荷室空間をフロアボードで上下に仕切って、スペースを更に有効利用することも一般に良く行われている。例えば、車両後部の床面に凹所を設けてスペアタイヤ収納部とし、この凹所の上側を、床面と略面一となる高さ位置に設定された仕切板で覆い、この仕切板上方の空間をトランクルームとして利用できるようにした構造は、特にスペースの余裕に乏しい乗用車等の後部荷室などに、幅広く採用されている。
【０００３】
また、車両後部の荷室床面の後端部分には、床面から上方へ所定高さ立ち上がるようにして内装部材（エンドトリム）が配設されるのが一般的であるが、例えば、前記フロアボードの高さ位置（上下方向の位置）をエンドトリムの高さに合わせて、フロアボードとエンドトリムとを一続きにフラット化することにより、車両後部の荷室床面について所謂掃き出しフロアを実現でき、利便性が大いに向上する。
【０００４】
このように車両後部の荷室空間をフロアボードで上下に仕切る場合、例えば、仕切られた各スペースにそれぞれ収容する荷物の形状やサイズ等に応じて、又は、荷室床面をフラット化できるように、或いは、最後列シートを折り畳んだ場合にフラットフロアを実現できるように、フロアボードの高さ位置を変更することができれば、荷物の種類に応じたスペースの有効利用ができ、また、荷室の使い勝手が良くなり、更に利便性を高めることができる。
【０００５】
かかる要望に関連した先行技術として、例えば、特許文献１には、車両後部の荷室空間を上下に仕切る仕切板の支持機構として、構造の過度な複雑化を招くことなく、また、比較的簡単な作業で、仕切り高さを変更することができる構成が開示されている。
【０００６】
【特許文献１】特開２００５−２１９７０２号公報
【発明の開示】
【発明が解決しようとする課題】
【０００７】
近年、自動車等の車両の後部車体構造において、荷物の形状やサイズに応じて車体後部の荷室空間の利便性をより一層向上させるために、車両後部の荷室空間を上下に仕切るフロアボードを、車体前方側に配置される前部ボードと、該前部ボードの後方に配置される後部ボードとに分割して構成することが知られている。
【０００８】
フロア面から所定の高さ位置に配設されたフロアボードにおいては、フロアボードの支持強度を確保するためにフロアボードの周縁部が支持されることが一般的であるが、フロアボードが前部ボードと後部ボードとに分割して構成される場合、前部ボードは、前部ボードの前方側及び左右両側が支持されるものの、荷室空間の利便性を考慮すると、前部ボードの後方側を支持することが困難なものとなる。
【０００９】
かかる場合に、前部ボードの後方側に重い荷物が載せられるなど、前部ボードの後方側に大きい荷重が加わると、前部ボードがたわんでしまう畏れがある。また、前部ボードの後方側に加わる荷重によっては、前部ボード自体が折れることもあり得る。
【００１０】
そこで、この発明は、後部フロア上にフロア面から所定の高さ位置に配設されたフロアボードを備え、該フロアボードが前部ボードと後部ボードとによって構成された車両の後部車体構造において、前部ボードがたわむことを防止することができるようにすることを、基本的な目的としてなされたものである。
【課題を解決するための手段】
【００１１】
このため、本願請求項１の発明（第１の発明）は、最後列シートより後方の後部フロア上に、フロア面から所定の高さ位置に配設されたフロアボードを備えた車両の後部車体構造であって、前記後部フロアの前部および左右両側部に、前記フロアボードを支持するボード支持部材が配設され、前記フロアボードは、前記後部フロア上方において車体前方に配置される前部ボードと、該前部ボードより後方に配置される後部ボードとを備えており、前記前部ボードの後端側に車幅方向に延びる補強部材が設けられると共に、該補強部材を車体側壁に支持する支持ブラケットが設けられている、ことを特徴としたものである。
【００１２】
また、本願請求項２の発明（第２の発明）は、前記第１の発明において、前記支持ブラケットと前記ボード支持部材とを結合する結合部が設けられている、ことを特徴としたものである。
【００１３】
更に、本願請求項３の発明（第３の発明）は、前記第１又は第２の発明において、前記後部ボードの配設位置は、前部ボードの後方に位置する上方位置と、少なくとも前側部分が前部ボードの下方に収容される下方位置とに選択的に設定可能である、ことを特徴としたものである。
【００１４】
また更に、本願請求項４の発明（第４の発明）は、前記第３の発明において、前記後部ボードは、前記ボード支持部材の側部に形成されたガイド溝に沿ってスライド可能である、ことを特徴としたものである。
【発明の効果】
【００１５】
本願の第１の発明によれば、後部フロアの前部および左右両側部にフロアボードを支持するボード支持部材が配設され、フロアボードは、前部ボードと該前部ボードより後方に配置される後部ボードとを備え、前部ボードの後端側に車幅方向に延びる補強部材が設けられると共に、該補強部材を車体側壁に支持する支持ブラケットが設けられているので、補強部材によって前部ボードの後方側の剛性を向上させることができるとともに、前部ボードの後方側にかかる荷重を補強部材及び支持ブラケットを介して車体側壁に分散させることができ、前部ボードがたわむことを防止することができる。前部ボードと後部ボードとを実質的に面一に構成することで、後部フロアのフロア面から所定の高さにフラットな荷室フロアを得ることができる。
【００１６】
また、本願の第２の発明によれば、基本的には前記第１の発明と同様の作用効果を奏することができる。特に、支持ブラケットとボード支持部材とを結合する結合部が設けられているので、後部フロアの左右両側に配設されるボード支持部材が車幅方向内方側に倒れることを防止することができる。
【００１７】
更に、本願の第３の発明によれば、基本的には前記第１又は第２の発明と同様の作用効果を奏することができる。特に、後部ボードの配設位置は、前部ボードの後方に位置する上方位置と、少なくとも前側部分が前部ボードの下方に収容される下方位置とに選択的に設定可能であるので、荷物の種類に応じたスペースの有効利用ができ、また、後部フロアの使い勝手が良くなり、更に利便性を高めることができる。
【００１８】
また更に、本願の第４の発明によれば、基本的には前記第３の発明と同様の作用効果を奏することができる。特に、後部ボードは、ボード支持部材の側部に形成されたガイド溝に沿ってスライド可能であるので、ガイド溝に沿って後部ボードを滑らかに移動させることができ、後部フロアの利便性をより一層高めることができる。
【発明を実施するための最良の形態】
【００１９】
以下、本発明の実施形態を添付図面に基づいて詳細に説明する。
図１は本発明の実施形態に係る自動車の車両後部の荷室側壁およびフロアボードを示す斜視図である。図２は図１からフロアボードの後部ボードを取り外した状態を示す斜視図、また、図３は図２からフロアボードの前部ボードを更に取り外した状態を示す斜視図である。
【００２０】
これらの図に示すように、本実施形態に係る自動車の車両後部では、最後列シート（不図示）より後方の荷室空間のフロア面を構成する後部フロア２上に、フロア面２から所定の高さ位置に配設されるフロアボード１０を備えている。該フロアボード１０は、好ましくは合成樹脂製で、後部フロア２の比較的前側を覆う前部ボード１０Ｆと、該前部ボード１０Ｆの後方に配置される後部ボード１０Ｒとで構成されている（図１参照）。このように、フロアボード１０は、前部ボード１０Ｆと、これとは別体の後部ボード１０Ｒとを備えているので、両者１０Ｆ、１０Ｒが一体の場合に比して、フロアボード１０の使い勝手が良くなり、利便性を向上させることができる。尚、前記荷室空間の後側は、バックドア（不図示）により開閉可能に覆われている。
【００２１】
図２及び図３に示されるように、後部フロア面２には、例えば工具等の部品を収納するために複数の収納用凹所２ｃが形成されている。また、後部フロア２の前端近傍には、例えば電動モータＭなどの物品が配置されている。そして、後部フロア２の上方はフロアボード１０で覆われ、このフロアボード１０の上方にも種々の物品・荷物が収納し得るようになっている。すなわち、最後列シート（不図示）の後方の荷室空間は、前記フロアボード１０により上下に仕切られ、上下の空間部それぞれが収納スペースとして利用することができる。
【００２２】
図３からよく分かるように、フロアボード１０は、後部フロア２上に立設されたボード支持部材１３によって支持されている。該ボード支持部材１３は、好ましくは合成樹脂製で、側壁３の近傍に該側壁３に沿って車体前後方向に配設された左右一対のサイド支持部材１４と、これらサイド支持部材１４の前端どうしを連結するようにして、後部フロア２の前端近傍において車幅方向に配設されたフロント支持部材１５とで、平面視で略コ字状に形成されている。
【００２３】
サイド支持部材１４はフロアボード１０の側端部を支持するもので、フロント支持部材１５はフロアボード１０の前端部を（つまり、前部ボード１０Ｆの前端部を）支持するものである。サイド支持部材１４は、前部ボード１０Ｆの側端部を支持する前側サイド支持部１４Ｆと、後部ボード１０Ｒの側端部を支持する後側サイド支持部１４Ｒとで構成され、前側サイド支持部１４Ｆは後側サイド支持部１４Ｒよりも所定量だけ段下げされている。
【００２４】
フロアボード１０の後端部（つまり、後部ボード１０Ｒの後端部）は、後部フロア２の後端部分において、上方へ所定高さ立ち上がるようにして設けられ車幅方向に延びるエンドトリム１６に形成された後側支持部４０によって支持される。この後側支持部４０及びサイド支持部材１４の構成については、後で詳しく説明する。
【００２５】
また、車体後部の左右の側壁３には、図示しないリヤホイール（後輪）の少なくとも上部を収容するリヤホイールハウス４が設けられ、このリヤホイールハウス４に、図示しないリヤサスペンション装置（後輪懸架装置）の上部を支持するサスペンションタワー部５が一体的に形成されている。尚、荷室の右側壁３のみが示されているが、左側壁についても、左右対称になるだけで右側壁３と同様に構成されている。
【００２６】
かかる後部車体構造では、前部ボード１０Ｆが、後部フロア２の前部に配設されたフロント支持部材１５と、後部フロア２の左右両側部に配設されたサイド支持部材１４とによって支持されているものの、前部ボード１０Ｆの後方側が支持されていないので、前部ボード１０Ｆの後方側に重い荷物が載せられるなど前部ボード１０Ｆの後方側に大きい荷重が加わると、前部ボード１０Ｆが撓んだり折れたりする畏れがある。また、これに伴って、前部ボード１０Ｆを支持するサイド支持部材１４が車幅方向内方側に倒れる畏れがある。
【００２７】
そこで、本実施形態では、前部ボード１０Ｆの後端側の下面に、車幅方向に延び前部ボード１０Ｆを補強する補強部材が設けられると共に、この補強部材を車体側壁３に支持する支持ブラケットが設けられている。また、前記補強部材を車体側壁３に支持する支持ブラケットは、前部ボード１０Ｆを支持するボード支持部材１３、具体的にはサイド支持部材１４に結合されている。
【００２８】
図４は、前部ボードを補強する補強部材及び該補強部材を車体側壁に支持する支持ブラケットを示す斜視図、図５は、前記補強部材が取り付けられた前部ボードを示す図であり、図５の（ａ）は、前記前部ボードの平面図であり、図５の（ｂ）は、図５（ａ）におけるＹ５ｂ−Ｙ５ｂ線に沿った前記前部ボードの断面図である。また、図６は、前記補強部材の車体側壁への取付状態を示す縦断面説明図である。
【００２９】
図５に示すように、前部ボード１０Ｆの後方側の下面には、車幅方向に延び前部ボード１０Ｆを補強する補強部材５０が取り付けられている。この補強部材５０は、車体前後方向の両端にフランジ部５０ｆを備え断面ハット状に形成されている。フランジ部５０ｆは、図４に示すように、補強部材５０の車幅方向の両端部で繋がっており、このフランジ部５０ｆによって前部ボード１０Ｆの下面に取り付けられている。また、補強部材５０の底面部５０ａには、車幅方向の両端部にそれぞれ２つのボルト挿通穴５０ｈが設けられている。なお、補強部材５０は、例えば鉄などの材料を用いて形成されている。
【００３０】
本実施形態ではまた、補強部材５０を車体側壁３に支持する支持ブラケット５１が設けられている。支持ブラケット５１は、図４に示すように、車体側壁３に沿って上下方向に延び車体側壁３に取り付けられる側壁取付プレート５４と、側壁取付プレート５４の下部から水平方向に延びサイド支持部材１４に取り付けられる底部取付プレート５３と、底部取付プレート５３の車幅方向内方側且つ上方側において水平方向に延び補強部材５０が取り付けられる上部取付プレート５２とを備え、底部取付プレート５３と上部取付プレート５２とは底部取付プレート５３から車幅方向内方側且つ上方側に傾斜して延びる連結プレート５５によって連結されている。
【００３１】
支持ブラケット５０では、側壁取付プレート５４は、側壁取付プレート５４の車体前後方向の両端部に車幅方向内方側に延びその端部がそれぞれ車体前後方向に折り曲げられたフランジ部５４ｆを備え、断面ハット状に形成されている。底部取付プレート５３及び上部取付プレート５２についても同様に、底部取付プレート５３は、底部取付プレート５３の車体前後方向の両端部に車体上方側に延びその端部がそれぞれ車体前後方向に折り曲げられたフランジ部５３ｆを備え、断面ハット状に形成され、上部取付プレート５２は、上部取付プレート５２の車体前後方向の両端部に車体下方側に延びその端部がそれぞれ車体前後方向に延び折り曲げられたフランジ部５２ｆを備え、断面ハット状に形成されている。
【００３２】
このように、支持ブラケット５１では、側壁取付プレート５４、底部取付プレート５３及び上部取付プレート５２がそれぞれのフランジ部５４ｆ、５３ｆ、５２ｆによって補強され、側壁取付プレート５４、底部取付プレート５３及び上部取付プレート５２が変形することが抑制されている。なお、支持ブラケット５１では、側壁取付プレート５４、底部取付プレート５３及び上部取付プレート５２のフランジ部５４ｆ、５３ｆ、５２ｆが連結され一体的に形成されているが、それぞれのフランジ部５４ｆ、５３ｆ、５２ｆを別体で形成するようにしてもよい。なお、補強部材５０は、例えば鉄などの材料を用いて形成されている。
【００３３】
また、図４に示すように、支持ブラケット５１の各取付プレート５２、５３、５４には、それぞれボルト挿通穴５２ｈ、５３ｈ、５４ｈが設けられている。図６からよく分かるように、側壁取付プレート５４は、ボルトＢ３を用いて支持ブラケット固定部６に締結固定され、支持ブラケット５１が車体側壁３に固定されている。なお、車体側壁３のサスペンションタワー部５に取り付けられた支持ブラケット固定部６には、支持ブラケット５１を取り付けるためのネジ部（不図示）が形成されている。
【００３４】
一方、底部取付プレート５３は、ボルトＢ２及びナットＮ２とを用いて相互に締結固定され、支持ブラケット５１とボード支持部材１３とを結合する結合部が設けられ、支持ブラケット５１がボード支持部材１３、具体的にはサイド支持部材１４の前側サイド支持部１４Ｆに固定されている。この場合、ナットＮ２は、前側サイド支持部１４Ｆ内に埋め込むようにして固定されている。
【００３５】
また、上部取付プレート５２は、前部ボード１０Ｆに取り付けられた補強部材５０の底面部５０ａと重ね合わせられた上で、ボルトＢ１及びナットＮ１を用いて相互に締結固定されている。なお、ボルト挿通穴５０ｈを長穴状に形成することにより、左右両側の車体側壁３に取り付けられた支持ブラケット５１に補強部材５０を取り付ける際に、支持ブラケット５１の位置が車幅方向のバラツキを有する場合においても、支持ブラケット５１に補強部材５０を容易に取り付けることができる。
【００３６】
なお、前部ボード１０Ｆは、図６に示すように、ボルト挿通穴５０ｈの上方に位置する所定範囲の部分１０Ｆａが前部ボード１０Ｆの所定の厚さより薄く形成されるとともに、この薄く形成された部分１０Ｆａの下面の周縁部に溝状のヒンジ部１０Ｆｂが形成され、ヒンジ部１０Ｆｂによって薄く形成された部分１０Ｆａが開閉可能に形成されている。この薄く形成された部分１０Ｆａをヒンジ部１０Ｆｂによって上方側に開くことにより、補強部材５０の底面部５０ａに設けられたボルト挿通穴５０ｈへボルトＢ１を取り付けることができるようになっている。
【００３７】
以上のように、本実施形態では、前部ボード１０Ｆの後端側に車幅方向に延びる補強部材５０が設けられると共に、該補強部材５０を車体側壁３に支持する支持ブラケット５１が設けられているので、補強部材５０によって前部ボード１０Ｆの後方側の剛性を向上させることができるとともに、前部ボード１０Ｆの後方側にかかる荷重を補強部材５０及び支持ブラケット５１を介して車体側壁３に分散させることができ、前部ボード１０Ｆがたわむことを防止することができる。
【００３８】
また、支持ブラケット５１とボード支持部材１３とを結合する結合部が設けられているので、後部フロア２の左右両側に配設されるボード支持部材１３が車幅方向内方側に倒れることを防止することができる。
【００３９】
本実施形態では、後部フロア２上の荷室について、荷物の種類に応じたスペースの有効利用ができ、また、後部フロア２の使い勝手をより向上させるために、後部ボード１０Ｒの配設位置が、前部ボード１０Ｆの後方に位置する上方位置と、少なくとも前側部分が前部ボード１０Ｆの下方に収容される下方位置とに選択的に設定できるようになっている。
【００４０】
以下、前記後部ボード１０Ｒの支持構造について説明する。
図７は後部フロア２の上方に配設された後部ボード１０Ｒを模式的に示す平面説明図、図８は図７のＹ８−Ｙ８線に沿った縦断面説明図である。これらの図に示すように、後部ボード１０Ｒの前部には、左右外方へ突出する突起部１２が一体的に設けられている。この突起部１２は、後部ボード１０Ｒ前部の内部を左右に貫通する軸部材１１の一部をなしている。軸部材１１は、例えば鉄などの材料を用いて形成され、これにより、後部ボード１０Ｒの車体前方側の剛性が確保されている。
【００４１】
この後部ボード１０Ｒの左右の前部を支持するために、前記ボード支持部材１３の左右のサイド支持部材１４の側部に左右一対の前側支持部２０が設けられている。前側支持部２０は、後述する図１１に詳しく示すように、高さ位置が異なる複数（本実施形態では２つ）の係合部２２，２４と、これら係合部２２，２４どうしを接続する接続通路２３とを備えている。この前側支持部２０の上側係合部２２の前端よりも所定距離後方には、後述するガイド部材３０が配置されている。
【００４２】
一方、後部フロア２の後端部分には、前述のように、上方へ所定高さ立ち上がるようにして設けられたエンドトリム１６が位置しており、このエンドトリム１６に後部ボード１０Ｒの後端側を載置させて支持する後側支持部４０が形成されている。
この後側支持部４０では、後述する図１２に詳しく示すように、前記トランクエンドトリム１６の上下方向の途中部に段差部４３を形成することにより、この段差部４３の上下に２つの支持面４２，４４が設けられている。そして、上側支持面４２が前側支持部２０の上側係合部２２に対応した高さ位置に、下側支持面４４が下側係合部２４に対応した高さ位置に、それぞれ設定されている。
【００４３】
このように、後部フロア２の後端部分に位置する内装トリム材であるエンドトリム１６に後部ボード１０Ｒの後端側を支持する後側支持部４０を形成したことにより、後部フロア面２およびその近傍の高さ範囲において後部ボード１０Ｒの高さ位置を変更できる。この場合、後側支持部４０は、専用の機構をわざわざ別設する必要は無く、荷室に本来備えられている床面後端の内装トリム１６を利用し、これに段差部４３を形成するだけの簡単な構成で済むので、後部ボード１０Ｒの高さ位置を変更するための構造をより簡素化することができる。
【００４４】
本実施形態では、上側支持面４２は前側支持部２０の上側係合部２２と実質的に同じ高さ位置に設定されており、後部ボード１０Ｒは、上側支持面４２と上側係合部２２とで支持されることにより、前部ボード１０Ｆと実質的に面一で水平となる上方位置に保持され、荷室スペースを拡大した状態でフラットな荷室フロアが得られる。従って、底面積がより大きい荷物を収容できる、また、収容した荷物をフロアボード１０上を滑らせて移動させ易くなるなど、収納する物品の種類に応じたスペースの有効利用ができ、また、荷室の使い勝手が良くなり、利便性を高めることができる。
【００４５】
一方、後側支持部４０の下側支持面４４は、前側支持部２０の下側係合部２４よりも僅かに高い高さ位置に設定されている。そして、後部ボード１０Ｒは、下側支持面４４と下側係合部２４とで支持されることにより、その前側部分が前部ボード１０Ｆの下方に収容される下方位置に保持される。この場合、後部ボード１０Ｒの上側にはより背の高い荷物を置くことができる。
【００４６】
このように、後部ボード１０Ｒの配設位置が、前部ボード１０Ｆの後方に位置する上方位置と、少なくとも前側部分が前部ボード１０Ｆの下方に収容される下方位置とに選択的に設定可能であるので、荷物の種類に応じたスペースの有効利用ができ、また、後部フロア２の使い勝手が良くなり、更に利便性を高めることができる。
【００４７】
図１１は、前側支持部２０の構成を拡大して示す説明図である。この図に詳しく示されるように、前側支持部２０の上下２つの係合部２２，２４は、それぞれ実質的に水平方向に延びる横溝として形成されている。本実施形態では、下側係合部２４の前端が上側係合部２２の前端よりも所定量だけ前方まで伸長している。そして、これら上下に隣り合う係合部２２，２４どうしを接続する接続通路２３は、２つの係合部２２，２４の後端部どうしを接続して前下がりの斜め溝を構成している。つまり、前側支持部２０は、全体として、側面視で略ｙ字形を成している。
【００４８】
前側支持部２０の上側係合部２２の上部には、係合部先端から所定距離後方に段下げ部２２ｓが形成され、この段下げ部２２ｓに、後部ボード１０Ｒを配設する際およびその高さ位置を変更する際に、当該トランクボード１０の前部を案内するガイド部材３０が配設されている。尚、このガイド部材３０は、最下方位置の係合部（本実施形態では、下側係合部２４）には設けられない。
【００４９】
図９及び図１０は、前記ガイド部材３０の斜め上後方および斜め上前方から見て示した斜視図である。これらの図に示されるように、ガイド部材３０は、平面視で矩形状の平板部３１と、該平板部３１の下面側に設けられた側面視で上広がりの三角形状に形成された基部３２とを備えている。該基部３２の頂点部は、好ましくは、平板部３１の前後方向における中央よりも若干距離だけ前方に位置している。また、基部３２の前端またはそれよりも若干距離だけ前方には、ガイド部材３０を前後方向へ回動自在に支持させる枢支孔部３３が設けられている。
【００５０】
そして、図１１に示されるように、ガイド部材３０を上側係合部２２に配置し、内装トリム１６に固定された枢支ピン３８をガイド部材３０の枢支孔部３３に挿入することにより、ガイド部材３０は、枢支ピン３８を中心にして鉛直面内で前後方向へ回動可能に支持される。このガイド部材３０は、通常時には、その後端側が前記段下げ部２２ｓ上に支持され、その上面はサイド支持部材１４の後側サイド支持部１４Ｒの上面と略面一になるように構成されている（図１１における実線表示参照）。
【００５１】
従って、前記ガイド部材３０は、その通常位置から、前方（図１１における反時計回り方向）へは回動できるが、後方（図１１における時計回り方向）へは回動できないことになる。すなわち、ガイド部材３０の前端側（枢支ピン３８よりも前側）に上方からの力が作用することにより、或いは、ガイド部材３０の後端側に下方からの力が作用することにより、ガイド部材３０は枢支ピン３８を中心にして前方へ向かって回動する（図１１における破線表示参照）が、ガイド部材３０の後端側（枢支ピン３８よりも後側）に上方からの力が作用しても、ガイド部材３０が後方へ向かって回動することはない。
尚、図１２は、本実施形態に係る後部ボード１０Ｒの後側支持部４０を拡大して示した断面説明図である。
【００５２】
以上の構成において、本実施形態の支持機構を用いて後部ボード１０Ｒを配設する際およびその高さ位置を変更する際の、ガイド部材３０の作用について説明する。
図１３（ａ）〜（ｅ）は、前記ガイド部材３０の作用を説明するための一連の模式的な説明図である。
まず、後部ボード１０Ｒを前側支持部２０の上側係合部２２と後側支持部４０の上側支持面４２とで支持させるように取り付ける場合には、図１３（ａ）及び図１１に示されるように、サイド支持部材１４の後側サイド支持部１４Ｒの上面に沿って後部ボード１０Ｒを後方から前方に向かって移動させる。そして、その前部の突起部１２がガイド部材３０の枢支ピン３８を通り過ぎるまで移動させた後、後部ボード１０Ｒが前下がり姿勢になるように傾斜させる。これにより、ガイド部材３０が前方へ向かって（反時計回り方向へ）回動し、後部ボード１０Ｒの前部の突起部１２は上側係合部２２に上方から進入し、この横溝状の上側係合部２２と係合する（図１３（ａ）及び図１１における１点鎖線矢印Ａ１参照）。
【００５３】
そして、図１３（ｂ）に示されるように、後部ボード１０Ｒの突起部１２を上側係合部２２の前端側まで押し込み、後部ボード１０Ｒの後端部を後側支持部４０の上側支持面４２上に載置して支持させる。これにより、後部ボード１０Ｒは、前側支持部２０の上側係合部２２と後側支持部４０の上側支持面４２とで、上側位置に水平に支持される。
このとき、後部ボード１０Ｒの後端部が後側支持部４０の上側支持面４２から外れることがないように、前側支持部２０の上側係合部２２と後側支持部４０の上側支持面４２との間隔および後部ボード１０Ｒの前後方向長さが設定されている。
【００５４】
この上側位置への後部ボード１０Ｒの配置作業においては、仮にガイド部材３０の後端側に上方からの力が作用しても、ガイド部材３０が後方へ向かって回動することはないので、後部ボード１０Ｒ前部の突起部１２が上方から下方に向かって接続通路２３内に進入することは禁止される。従って、当該後部ボード１０Ｒの突起部１２が、接続通路２３内を不用意に下方（下側係合部２４の後端側）まで移動もしくは落下することが防止される。この場合、作業性が向上するので、片手での作業も可能となる。
【００５５】
次に、図１３（ｂ）に示される上側位置に支持された後部ボード１０Ｒの高さ位置を、前側支持部２０の下側係合部２４と後側支持部４０の下側支持面４４とで支持された下側位置に変更する場合には、図１３（ｃ）に示されるように、後部ボード１０Ｒの後部を若干量持ち上げて後方へ引き出す。これにより、突起部１２は、上側係合部１２から抜脱されて接続通路２３内へ進入し、この接続通路２３に沿って下方へ移動でき、下側係合部２４に後方から係合できる（図１３（ｃ）における１点鎖線矢印Ａ２参照）。
【００５６】
そして、図１３（ｄ）に示されるように、後部ボード１０Ｒの突起部１２を下側係合部２４の前端側まで押し込み、後部ボード１０Ｒの後端部を後側支持部４０の下側支持面４４上に載置して支持させる。これにより、後部ボード１０Ｒは、前側支持部２０の下側係合部２４と後側支持部４０の下側支持面４４とで下側位置に支持される。
このとき、後部ボード１０Ｒの後端部が後側支持部４０の下側支持面４２から外れることがないように、前側支持部２０の下側係合部２４と後側支持部４０の下側支持面４４との間隔および後部ボード１０Ｒの前後方向長さが設定されている。
【００５７】
また、図１３（ｄ）に示される下側位置に支持された後部ボード１０Ｒを取り外す際には、図１３（ｅ）に示されるように、後部ボード１０Ｒの後部を若干量持ち上げて斜め後方へ引き出す。これにより、突起部１２は、下側係合部２４から抜脱されて接続通路２３内へ進入し、この接続通路２３に沿って上方へ移動する。そして、ガイド部材３０の後端側を下方から押し上げることにより、ガイド部材３０が前方へ向かって回動し、突起部１２が前側支持部２０から開放され（図１３（ｅ）における１点鎖線矢印Ａ３参照）、後部ボード１０Ｒを取り外すことができるようになっている。
尚、後部ボード１０Ｒの高さ位置を下側位置から上側位置に変更する場合には、図１３（ｃ）及び図１３（ｄ）で示される工程と逆の作業を行えばよい。
【００５８】
以上のように、前側支持部２０の上側係合部２２の上部に、後部ボード１０Ｒの前部（突起部１２）を案内するガイド部材３０が配設されており、後部ボード１０Ｒを配置する際には、後部ボード１０Ｒの突起部１２でガイド部材３０を回動させて、前記突起部１２を上側係合部２２に上方から進入させる。また、後部ボード１０Ｒの高さ位置を上側位置から下側位置に変更する際には、ガイド部材３０の作用により、後部ボード１０Ｒの突起部１２を、現状の上側係合部２２から接続通路２３内へ進入させ、この接続通路２３内を上方から下方へ移動させて隣り合う下方の下側係合部２４に上方から進入させることで、上側係合部２２から隣り合う下側係合部２４へ確実に移動させることができる。また、この逆（下側係合部２４から上側係合部２２への移動）も可能である。
【００５９】
また、後部ボード１０Ｒを前側支持部２０から取り外す際には、後部ボード１０Ｒの前部の突起部１２を、現状の係合部から接続通路２３内へ進入させ、その接続通路２３内を下方から上方に向かって移動させることで、支障なく容易に取り出すことができる。
一方、前記ガイド部材３０の作用により、後部ボード１０Ｒの突起部１２が上方から下方に向かって接続通路２３内に進入することは禁止されるので、後部ボード１０Ｒの前部の高さ位置を変更する際に、当該後部ボード１０Ｒの突起部１２が接続通路２３内を不用意に下方まで移動もしくは落下することが防止される。
【００６０】
すなわち、後部ボード１０Ｒの高さ位置を変更する際には、上側係合部２２から隣り合う下方の下側係合部２４へ、或いはその逆方向へ順次確実に移動でき、しかもその際、当該後部ボード１０Ｒの突起部１２が接続通路２３内を不用意に下方まで移動もしくは落下することが防止されることにより、簡単な作業で確実に高さ位置の変更を行える。また、後部ボード１０Ｒの前部を前側支持部２０から取り外す際には、突起部１２を接続通路２３内で下方から上方に向かって移動させることで、支障なく容易に取り出すことができる。
【００６１】
このように、本実施形態では、後部ボード１０Ｒの左右の前部（突起部１２）をそれぞれ支持する前側支持部２０は、上下方向位置が異なる複数の係合部２２，２３と上下に隣り合う係合部２２，２３どうしを接続する接続通路２３とを有している。従って、後部ボード１０Ｒの前部の高さ位置を変更する場合、当該後部ボード１０Ｒの左右の前部（突起部１２）を現状の係合部２２又は２４から接続通路２３を介して他の係合部２４又は２２へ移動させることで、後部ボード１０Ｒの前部を前側支持部２０から取り外す必要無しに、高さ位置の変更作業が行える。そして、その後、後部ボード１０Ｒの後部を変更後の係合部２４又は２２に対応した上下方向位置の支持部４４又は４２に支持させることにより、比較的簡単な作業で後部ボード１０Ｒの高さ位置を変更することができる。
【００６２】
以上、説明したように、本実施形態によれば、後部ボード１０Ｒの配設位置は、前部ボード１０Ｆの後方に位置する上方位置と、少なくとも前側部分が前部ボード１０Ｆの下方に収容される下方位置とに選択的に設定可能であるので、荷物の種類に応じたスペースの有効利用ができ、また、後部フロア２の使い勝手が良くなり、更に利便性を高めることができるのである。
【００６３】
また、接続通路２３は、後部ボード１０Ｒをスライドさせることができるガイド溝として機能し、後部ボード１０Ｒは、ボード支持部材１３の側部に形成されたガイド溝に沿ってスライド可能であり、これにより、ガイド溝に沿って後部ボードを滑らかに移動させることができ、後部フロアの利便性をより一層高めることができる。
【００６４】
尚、本発明は、以上の実施態様に限定されるものではなく、その要旨を逸脱しない範囲において、種々の変更や改良を加え得るものであることは言うまでもない。
【産業上の利用可能性】
【００６５】
本発明は、最後列シートより後方の後部フロア上に、フロア面から所定の高さ位置に配設されたフロアボードを備えた車両の後部車体構造に関し、例えばワゴン型車などの自動車の後部車体構造として、有効に利用することができる。
【図面の簡単な説明】
【００６６】
【図１】本発明の実施形態に係る自動車の車両後部の荷室側壁およびフロアボードを示す斜視図である。
【図２】図１からフロアボードの後部ボードを取り外した状態を示す斜視図である。
【図３】図２からフロアボードの前部ボードを更に取り外した状態を示す斜視図である。
【図４】前部ボードを補強する補強部材及び該補強部材を車体側壁に支持する支持ブラケットを示す斜視図である。
【図５】前記補強部材が取り付けられた前部ボードを示す図である。
【図６】前記補強部材の車体側壁への取付状態を示す縦断面説明図である。
【図７】後部フロア上方に配設された後部ボードを模式的に示す平面説明図である。
【図８】図７のＹ８−Ｙ８線に沿った縦断面説明図である。
【図９】ガイド部材の斜め上後方からの斜視図である。
【図１０】前記ガイド部材の斜め上前方の斜視図である。
【図１１】後部ボードの前側支持部を拡大して示す説明図である。
【図１２】後部ボードの後側支持部を拡大して示す断面説明図である。
【図１３】後部ボードの支持構造の作用を説明するための一連の模式的な説明図である。
【符号の説明】
【００６７】
２  後部フロア
３  車体側壁
１０  フロアボード
１０Ｆ  前部ボード
１０Ｒ  後部ボード
１３  ボード支持部材
１４  サイド支持部材
１４Ｆ  前側サイド支持部
１４Ｒ  後側サイド支持部
１５  フロント支持部材
２３  接続通路
５０  補強部材
５１  支持ブラケット
【図１】
2010083311.tif 000003
【図２】
2010083311.tif 000004
【図３】
2010083311.tif 000005
【図４】
2010083311.tif 000006
【図５】
2010083311.tif 000007
【図６】
2010083311.tif 000008
【図７】
2010083311.tif 000009
【図８】
2010083311.tif 000010
【図９】
2010083311.tif 000011
【図１０】
2010083311.tif 000012
【図１１】
2010083311.tif 000013
【図１２】
2010083311.tif 000014
【図１３】
2010083311.tif 000015